(57)【要約】【課題】自らの特性を保持することがとができる光ピックアップ装置を提供するとともに、特性が異なる光ピックアップ装置を組み込む場合であってもコスト上昇を招かずに大量生産が可能であり、且つコスト上昇を伴わずに容易にメンテナンスを行うことができる情報記録再生装置を提供する。【解決手段】光ピックアップ装置１０は、ＬＤ１１と、ＬＤ１１からの光をディスク上に集束させる対物レンズ１３と、ディスクに対する対物レンズ１３の位置を可変するために対物レンズ１３を駆動するアクチュエータ１５，１６と、ディスクからの光を検出するＰＤ１４とを備える。これに加え、本発明の光ピックアップ装置１０は、光ピックアップ装置１０に関する光ピックアップ情報を記憶するＥＥＰＲＯＭ１８を備える。【選択図】  図１
2004152451.tif 000002
【特許請求の範囲】
【請求項１】
光源と、当該光源からの光を情報記録媒体上に集束させる光学素子と、前記情報記録媒体に対する前記光学素子の位置を可変するために前記光学素子を駆動する駆動素子と、前記情報記録媒体からの光を検出する検出器とを備える光ピックアップ装置において、
前記光ピックアップ装置に関する光ピックアップ情報を記憶する記憶素子を備えることを特徴とする光ピックアップ装置。
【請求項２】
前記光ピックアップ情報は、前記光源の発光特性、前記駆動素子の駆動特性、前記光ピックアップ装置の製造管理情報、再生専用の前記情報記録媒体の特性を含む前記駆動素子の駆動特性、及び記録可能な前記情報記録媒体の特性を含む前記駆動素子の駆動特性のうち少なくとも１つを含むことを特徴とする請求項１記載の光ピックアップ装置。
【請求項３】
情報記録媒体に対して情報の再生及び記録の少なくとも一方を行う情報記録再生装置において、
請求項１又は請求項２記載の光ピックアップ装置と、
前記搭載されている光ピックアップ装置に関する光ピックアップ情報を検出する検出部と、
前記検出部で検出された前記光ピックアップ情報を前記光ピックアップ装置に設けられた記憶素子に記憶させる書込部と、
前記光ピックアップ装置に入出力する信号に対して所定の処理を施す信号処理部と、
前記光ピックアップ装置が備える記憶素子に記憶された光ピックアップ情報を読み出す情報読出部と、
前記情報読出部で読み出された光ピックアップ情報に基づいて、前記信号処理部で行われる処理のパラメータを調整する調整部と
前記書込部及び前記情報読出部のうち少なくとも１つを備えることを特徴とする情報記録再生装置。
【請求項４】
前記信号処理部は、前記処理の１つとして前記光ピックアップ装置に設けられた検出器の検出信号に基づいて前記駆動素子の制御を行う駆動制御部と、
前記処理の１つとして前記光ピックアップ装置に設けられた光源から射出される光の強度を調整する強度調整部と
を少なくとも備えることを特徴とする請求項３記載の情報記録再生装置。
【請求項５】
前記光ピックアップ情報は、前記光源の発光特性、前記駆動素子の駆動特性、前記光ピックアップ装置の製造管理情報、再生専用の前記情報記録媒体の特性を含む前記駆動素子の駆動特性、及び記録可能な前記情報記録媒体の特性を含む前記駆動素子の駆動特性のうち少なくとも１つを含むことを特徴とする請求項４記載の情報記録再生装置。
【発明の詳細な説明】
【０００１】
【発明の属する技術分野】
本発明は、レーザ光を用いて光ディスク又は光磁気ディスク等の記録媒体に記録された情報を読み取り又は記録媒体に情報を記録する光ピックアップ装置及び情報記録再生装置に関する。
【０００２】
【従来の技術】
現在、情報を高密度記録することが可能な大容量の情報記録媒体として、相変化記録媒体及び光磁気記録媒体が実用化されている。相変化記録媒体としては、例えば再生専用光ディスク、情報の追記録が可能な追記型光ディスク、情報の消去と再記録とが可能な書換え型光ディスクがある。また、光磁気記録媒体は、基本的に情報の消去と再記録とを可能としている。
【０００３】
相変化記録媒体及び光磁気記録媒体の何れの情報記録媒体であっても、記録された情報を読み出すため、及び情報を記録するために光ピックアップ装置が用いられる。周知のように光ピックアップ装置は、レーザ光源、対物レンズ、ＰＤ（Ｐｈｏｔｏ  Ｄｅｔｅｃｔｏｒ）等の検出器、及び対物レンズを駆動するアクチュエータ等から構成され、レーザ光源から射出されたレーザ光を対物レンズで集束して情報記録媒体の記録面に照射させるとともに、情報記録媒体からの反射光を検出器で検出するものであって、情報記録再生装置に組み込まれている。
【０００４】
情報記録再生装置は、光ピックアップ装置の検出器から出力される検出信号に基づいて、光ピックアップから射出されたレーザ光が情報記録媒体の所定のトラックを正確に追従するように制御するトラッキングサーボ制御系と情報記録媒体の反り等に拘わらず記録面にレーザ光のスポットが配置されるよう制御するフォーカスサーボ系とを備える。
【０００５】
情報記録媒体に記録された情報を読み出す場合には、これらの制御系によりレーザ光のスポットが情報記録媒体の記録面上におけるトラックを正確に追従している状態で得られる反射光を検出して情報記録媒体に記録された情報を読み取り情報再生系で再生する。また、情報記録媒体に情報を記録する場合には、レーザ光のスポットが形成されるであろう位置が情報記録媒体の記録面上におけるトラックを正確に追従している状態で情報記録系からの信号に応じて読み取り時よりも高い強度でレーザ光を発光又は停止させることにより情報記録媒体に情報を記録する。尚、従来の情報再生装置に設けられるトラッキングサーボ系及びフォーカスサーボ系については、例えば特許文献１を参照されたい。
【０００６】
【特許文献１】
特公平７−８２７２１号
【０００７】
【発明が解決しようとする課題】
ところで、複数の光ピックアップ間において、それらの特性が同一であることは希であり、通常は個体間で特性のばらつきがある。ここで、光ピックアップの特性とは、レーザ光の射出強度、検出器の検出感度、並びにアクチュエータの直流特性及び交流特性等である。これらの特性のばらつきを解消するためにトラッキングサーボ系、フォーカスサーボ系、情報再生系、及び情報記録系内におけるゲインの初期値調整等の調整を行っている。
【０００８】
しかしながら、情報記録再生装置を多数製造する場合には、異なるメーカーにより製造された特性が大幅に異なる光ピックアップ装置を組み込む場合がある。かかる場合に、組み込まれた光ピックアップの特性に応じて上記の調整を切り替えるのは手間を要し、調整に要するコストが高くなるという問題があった。一方、上記の調整を行わない場合には、情報記録再生装置内の増幅器の振幅レンジを有効に使えないため、所期の性能を発揮することができず、例えばトラッキングエラーが生ずる頻度が多くなる等の現象が発生する。
【０００９】
更には、製造後において再生・記録の不具合等が原因で光ピックアップ装置の交換を行うときには、同一メーカにより製造された光ピックアップのものを取り付ける必要があるため、部品管理、交換の手間が必要になりメンテナンスのコスト上昇の一因になるという問題があった。また、対物レンズへの埃の付着等による経年劣化及び光学部品の取り付け位置ずれ等による光ピックアップの性能低下が生じた場合には再生時における音飛び等の不具合が生ずるが、メンテナンス時において不具合の原因を調べるのに時間を要することが多いという問題があった。
【００１０】
本発明は上記事情に鑑みてなされたものであり、自らの初期特性を記憶ことがとができる光ピックアップ装置を提供するとともに、特性が異なる光ピックアップ装置を組み込む場合であってもコスト上昇を招かずに大量生産が可能であり、且つコスト上昇を伴わずに容易にメンテナンスを行うことができる情報記録再生装置を提供することを目的とする。
【００１１】
【課題を解決するための手段】
上記課題を解決するために、本発明の光ピックアップ装置は、光源（１１）と、当該光源からの光を情報記録媒体上に集束させる光学素子（１３）と、前記情報記録媒体に対する前記光学素子の位置を可変するために前記光学素子を駆動する駆動素子（１５、１６）と、前記情報記録媒体からの光を検出する検出器（１４）とを備える光ピックアップ装置において、前記光ピックアップ装置に関する光ピックアップ情報を記憶する記憶素子（１８）を備えることを特徴としている。
この発明によれば、光ピックアップ装置に関する光ピックアップ情報を記憶する記憶素子を光ピックアップ装置自身が備えるため、光ピックアップ装置の良否を検査する場合、光ピックアップのメンテナンスを行う場合に、記憶素子に記憶された光ピックアップ情報に基づいて行うことができ、その結果としてコスト上昇を伴わずにこれらの作業を行うことができる。
ここで、本発明の光ピックアップ装置は、前記光ピックアップ情報が、前記光源の発光特性、前記駆動素子の駆動特性、前記光ピックアップ装置の製造管理情報、再生専用の前記情報記録媒体の特性を含む前記駆動素子の駆動特性、及び記録可能な前記情報記録媒体の特性を含む前記駆動素子の駆動特性のうち少なくとも１つを含むことが好ましい。
上記課題を解決するために、本発明の情報記録再生装置は、情報記録媒体に対して情報の再生及び記録の少なくとも一方を行う情報記録再生装置において、請求項１又は請求項２記載の光ピックアップ装置（１０）と、前記搭載されている光ピックアップ装置に関する光ピックアップ情報を検出する検出部（４０、４１）と、前記検出部で検出された前記光ピックアップ情報を前記光ピックアップ装置に設けられた記憶素子に記憶させる書込部（３７）と、前記光ピックアップ装置に入出力する信号に対して所定の処理を施す信号処理部（３４、２１ａ〜２３ａ、２１ｂ〜２３ｂ）と、前記光ピックアップ装置が備える記憶素子に記憶された光ピックアップ情報を読み出す情報読出部（５０）と、前記情報読出部で読み出された光ピックアップ情報に基づいて、前記信号処理部で行われる処理のパラメータを調整する調整部（２５、３０）と前記書込部及び前記情報読出部のうち少なくとも１つを備えることを特徴としている。
この発明によれば、光ピックアップ装置に設けられた記憶素子から光ピックアップ情報を読み込み、この光ピックアップ情報に基づいて信号処理部で行われる処理のパラメータを調整しているため、処理のパラメータを光ピックアップの特性に応じて自動的に調整することができる。この結果、複数のメーカで製造された特性の異なる光ピックアップを組み込んで情報記録再生装置を製造する場合であっても問題なく搭載することができ、コスト上昇を招かずに情報記録再生装置の大量生産が可能となる。
また、本発明の情報記録再生装置は、前記信号処理部が、前記処理の１つとして前記光ピックアップ装置に設けられた検出器の検出信号に基づいて前記駆動素子の制御を行う駆動制御部（２１ａ〜２３ａ、２１ｂ〜２３ｂ）と、
前記処理の１つとして前記光ピックアップ装置に設けられた光源から射出される光の強度を調整する強度調整部（３４）とを少なくとも備えることを特徴としている。
更に、本発明の情報記録再生装置は、前記光ピックアップ情報が、前記光源の発光特性、前記駆動素子の駆動特性、前記光ピックアップ装置の製造管理情報、再生専用の前記情報記録媒体の特性を含む前記駆動素子の駆動特性、及び記録可能な前記情報記録媒体の特性を含む前記駆動素子の駆動特性のうち少なくとも１つを含むことが好ましい。
【００１２】
【発明の実施の形態】
以下、図面を参照して本発明の実施形態による光ピックアップ装置及び情報記録再生装置について詳細に説明する。尚、以下に説明する実施形態においては、情報記録媒体がＣＤ（Ｃｏｍｐａｃｔ  Ｄｉｓｃ：以下、ディスクという）であり、このディスクに記録されている情報を読み取る光ピックアップ装置及びこの光ピックアップ装置により読み取られた情報を再生する情報記録再生装置を例に挙げて説明する。また、本発明における情報記録再生装置とは、情報記録媒体に記録された情報の再生機能及び情報記録媒体に対する情報の記録機能を共に有するもののみならず、何れか一方の機能のみを有するものも含まれる。
【００１３】
〔光ピックアップ装置〕
図１は、本発明の実施形態による光ピックアップ装置の概略構成を示すブロック図である。図１に示す光ピックアップ装置１０は、光源としてのレーザダイオード（以下、ＬＤという）１１、ハーフミラー１２、光学素子としての対物レンズ１３、検出器としてのフォトディテクタ（以下、ＰＤという）１４、駆動素子としてのアクチュエータ１５，１６、書き込み用ＩＣ１７、及び記憶素子としてのＥＥＰＲＯＭ１８を含んで構成される。
【００１４】
ＬＤ１１は、例えば波長７８０ｎｍのレーザ光を射出する半導体レーザであり、その発光及び発光の停止は端子Ｔ１０を介して入力される発光制御信号により制御される。ＬＤ１１から射出されたレーザ光はハーフミラー１２を介して対物レンズ１３に至り、対物レンズ１３で集束される。集束されたレーザ光が不図示のディスクで反射されると、その反射光は対物レンズ１３を介してハーフミラー１２で反射された後、ＰＤ１４で検出される。ＰＤ１４の検出信号は端子Ｔ１１を介して出力される。
【００１５】
アクチュエータ１５はフォーカシングのためレーザ光の光軸方向（ディスクの記録面と交差する方向）に対物レンズ１３を駆動し、アクチュエータ１６はトラッキングのためレーザ光の光軸方向と直交方向（ディスクの径方向）に対物レンズ１３を駆動する。アクチュエータ１５による対物レンズ１３の駆動量は、端子Ｔ１２から入力されるフォーカス制御信号により制御され、アクチュエータ１６による対物レンズ１３の駆動量は、端子Ｔ１３から入力されるトラッキング制御信号により制御される。
【００１６】
書き込み用ＩＣ１７は、情報記録媒体が追記型光ディスク（例えば、ＣＲ−Ｒ）又は書換え型光ディスク（例えば、ＣＤ−ＲＷ）であるときに、端子Ｔ１０から入力されるデータ（情報）を記録するため、入力されるデータに応じたパルス信号を生成してＬＤ１１の発光及びその停止を制御するためのものである。尚、ＣＤ等の再生専用光ディスクに記録された情報を読み出す場合には、書き込み用ＩＣ１７は使用されない。
【００１７】
ＥＥＰＲＯＭ１８は、光ピックアップ装置１０に関する情報（光ピックアップ情報）を記憶・保持するものである。ここで、光ピックアップ情報とは、光ピックアップ装置１０に関する任意の情報であり、例えば光ピックアップ装置１０の特性（光学特性、電気特性等）に関する情報、光ピックアップ装置１０の製造管理情報（製造番号、製造日時、製造国、製造メーカ、製造ライン番号）、ＬＤ１１の駆動時間に関する情報、その他の情報である。
【００１８】
本実施形態では、光ピックアップ情報として、ＬＤ電流特性（光源の発光特性）、フォーカシングのＤＣ特性、トラッキングのＤＣ特性、フォーカシングのＡＣ特性、及びトラッキングのＡＣ特性（駆動素子の駆動特性）を例に挙げる。ここで、ＬＤ電流特性とは、ディスクに記録された情報の読み取り時に光ピックアップ装置１０から所定の強度のレーザ出力を得るためにＬＤ１１に流す必要となる電流値をいう。
【００１９】
また、フォーカシングのＤＣ特性及びトラッキングのＤＣ特性とは、対物レンズ１３をレーザ光の光軸方向又はこの光軸方向とは直交する方向に所定量駆動するためにアクチュエータ１５，１６にそれぞれ与える必要のある電圧値をいう。更に、フォーカシングのＡＣ特性及びトラッキングのＡＣ特性とは、所定の周波数の交流電圧をアクチュエータ１５，１６それぞれに印加したときの、対物レンズ１３の追従性能をいう。
【００２０】
〔第１実施形態による情報記録再生装置〕
図２は、本発明の第１実施形態による情報記録再生装置の構成の一部を示すブロック図である。尚、図２においては、情報記録再生装置のサーボ系を主として図示しており、図１に示す部材に相当するものには同一の符号を付してある。また、図２においては、便宜上、光ピックアップ装置１０内に設けられるＰＤ１４を光ピックアップ装置１０外に図示している。
【００２１】
図２において、Ｔｒはディスクに形成されたトラックの一部を示しており、図示のように光ピックアップ装置１０から射出されるレーザ光により異なる３点にスポットＳＰ１〜ＳＰ３が形成される。ＰＤ１４は、スポットＳＰ１からの反射光を検出する４分割ＰＤ１４ａと、スポットＳＰ２からの反射光を検出するＰＤ１４ｂと、スポットＳＰ３からの反射光を検出するＰＤ１４ｃとから構成されている。尚、スポットＳＰ１，ＳＰ３は３ビーム方式によるトラッキング制御のためのものである。
【００２２】
ＰＤ１４ｂ，１４ｃの検出信号はアンプ２０ａへ入力され、その差分（トラッキングエラー信号）が求められる。この差分はＶＣＡ（Ｖｏｌｔａｇｅ  Ｃｏｎｔｒｏｌ  Ａｍｐｌｉｆｉｅｒ）２１ａにおいて所定の増幅率で増幅され、アナログ／ディジタル変換器（以下、Ａ／Ｄ変換器という）２２ａでディジタル信号に変換された後、ディジタルイコライザ（以下、ＥＱという）２３ａを介してＰＷＭ（Ｐｕｌｓｅ  Ｗｉｄｔｈ  Ｍｏｄｕｌａｔｉｏｎ）信号生成回路２４へ出力されるとともにサーボコントローラ２５へ出力される。また、アンプ２０ａの出力は、ローパスフィルタ（以下、ＬＰＦという）２６でフィルタリングされた後、ＶＣＡ２１ｃにおいて所定の増幅率で増幅された後、Ａ／Ｄ変換器２２ｃでディジタル信号に変換されて、ＥＱ２３ｃを介してＰＷＭ信号生成回路２４に出力されるとともに、サーボコントローラ２５へ出力される。
【００２３】
また、４分割ＰＤ１４ａのＡ信号及びＢ信号はアンプ２０ｂへ入力され、その差分（フォーカスエラー信号）が求められる。この差分はＶＣＡ２１ｂにおいて所定の増幅率で増幅され、Ａ／Ｄ変換器２２ｂでディジタル信号に変換された後、ＥＱ２３ｂを介してＰＷＭ信号生成回路２４へ出力されるとともに、サーボコントローラ２５へ出力される。
【００２４】
更に、４分割ＰＤ１４ａのＡ信号〜Ｄ信号は加算器２７において加算された後、ＥＦＭ（Ｅｉｇｈｔ  ｔｏ  Ｆｏｕｒｔｅｅｎ  Ｍｏｄｕｌａｔｉｏｎ）復調回路２８及びＰＬＬ（Ｐｈａｓｅ  Ｌｏｃｋｅｄ  Ｌｏｏｐ）回路２９からなる回路によりＲＦ信号に変換されるとともに、Ａ／Ｄ変換器２２ｄでディジタル信号に変換された後、ＥＱ２３ｄを介してＰＷＭ信号生成回路２４に出力されるとともに、サーボコントローラ２５へ出力される。
【００２５】
ＰＷＭ信号生成回路２４は、ＥＱ２３ａ〜２３ｄから出力される信号各々をＰＷＭ信号に変換する。ＰＷＭ信号に変換されたＥＱ２３ａの出力信号はトラッキング制御信号として光ピックアップ装置１０の端子Ｔ１３へ出力され、ＰＷＭ信号に変換されたＥＱ２３ｂの出力信号はフォーカス制御信号として光ピックアップ装置１０の端子Ｔ１２へ出力される。また、ＰＷＭ信号に変換されたＥＱ２３ｃの出力信号は光ピックアップ装置１０自体をディスクの直径方法に移動させる不図示の駆動装置の駆動信号として出力され、ＰＷＭ信号に変換されたＥＱ２３ｄの出力信号はディスクを回転させる不図示のスピンドルモータの駆動信号として出力される。
【００２６】
サーボコントローラ２５は、ＣＰＵ３０の制御の下でＡ／Ｄ変換器２２ａ〜２２ｄから出力される信号及び後述するＦＯＫ（Ｆｏｃｕｓ  ＯＫ）生成回路３２から出力されるＦＯＫ信号に応じて、トラッキング制御、フォーカス制御、スピンドルモータの回転制御等の制御を行う。また、ＣＰＵ３０の制御の下でＡ／Ｄ変換器２２ａ〜２２ｄから出力される信号に応じてＶＣＡ２１ａ〜２１ｃの増幅率の調整を行う。ＲＡＭ（Ｒａｎｄｏｍ  Ａｃｃｅｓｓ  Ｍｅｍｏｒｙ）３１は、ＶＣＡ２１ａ〜２１ｃに設定された増幅率等の情報を一時的に記憶する。
【００２７】
また、ＦＯＫ生成回路３２は、上記アンプ２０ｂから出力される信号に基づいて、光ピックアップ装置１０のフォーカス位置がディスクの記録面上に有るか否かを示すＦＯＫ信号をサーボコントローラ２５及びディスク有無判定回路３３へ出力する。ディスク有無判定回路３３はＦＯＫ信号に基づいて情報記録再生装置にディスクが装着されているか否かを判定し、その判定結果をＣＰＵ３０へ出力する。
【００２８】
ＡＰＣ（Ａｕｔｏ  Ｐｏｗｅｒ  Ｃｏｎｔｒｏｌ）回路３４は、再生時（又は記録時）において、ＬＤ１１から射出されるレーザ光が一定強度となるようにＬＤパワー検出回路３５の検出結果に応じてＬＤ１１を駆動する回路である。ＡＰＣ電流検出回路３６は、ＡＰＣ回路３４の制御の下でＬＤ１１に流れる電流を検出する回路であり、その検出結果はＣＰＵ３０へ出力される。ＥＥＰＲＯＭ書込回路３７は、光ピックアップ情報としてのＬＤ電流特性、フォーカシングのＤＣ特性、トラッキングのＤＣ特性、フォーカシングのＡＣ特性、及びトラッキングのＡＣ特性を光ピックアップ装置１０に設けられたＥＥＰＲＯＭ１８に書き込むためのものである。尚、ＥＥＰＲＯＭ書込回路３７は、本発明にいう書込部に相当する。
【００２９】
トラッキング定電圧駆動回路３８はサーボコントローラ２５の制御の下で、アクチュエータ１６に一定電圧を印加して対物レンズ１３を駆動するものであり、フォーカス定電圧駆動回路３９はサーボコントローラ２５の制御の下で、アクチュエータ１５に一定電圧を印加して対物レンズ１３を駆動するものである。トラッキング特性検出回路４０は、トラッキング定電圧駆動回路３８により一定電圧をアクチュエータ１６に印加したときの対物レンズ１３の光軸に直交する方向の焦点位置を検出する回路である。
【００３０】
また、フォーカス特性検出回路４１は、フォーカス定電圧駆動回路３９により一定電圧をアクチュエータ１５に印加したときの対物レンズ１３の光軸方向における合焦位置を検出する回路である。上記トラッキング特性検出回路４０及びフォーカス特性検出回路４１の検出結果はＣＰＵ３０へ出力される。
【００３１】
次に、上記構成の情報記録再生装置において、光ピックアップ情報を検出して光ピックアップ装置１０が備えるＥＥＰＲＯＭ１８に書き込む動作について説明する。図３〜図６は光ピックアップ情報を検出して光ピックアップ装置１０が備えるＥＥＰＲＯＭ１８に書き込む動作を示すフローチャートである。尚、図３〜図４に示すフローチャートは、例えば製造された光ピックアップ装置１０を検査するときに、図２に示す情報記録再生装置をいわば検査装置として用いて光ピックアップ装置１０の光ピックアップ情報を検出し、その光ピックアップ情報を光ピックアップ装置１０のＥＥＰＲＯＭ１８に書き込む際に行われる動作を示すフローチャートである。
【００３２】
ここで、図３は光ピックアップ装置１０のフォーカシング及びトラッキングのＤＣ特性を検出する動作を示すフローチャートであり、図４は光ピックアップ装置１０のフォーカシングのＡＣ特性を検出する動作を示すフローチャートであり、図５は光ピックアップ装置１０のトラッキングのＡＣ特性を検出する動作を示すフローチャートであり、図６はＬＤ電流特性を検出し、検出した光ピックアップ情報をＥＥＰＲＯＭ１８に書き込む動作を示すフローチャートである。
【００３３】
まず、図３を参照して光ピックアップ装置１０のフォーカシング及びトラッキングのＤＣ特性を検出する動作について説明する。まず、製造が完了して調整が終了した光ピックアップ装置を情報記録再生装置の一部として取り付ける。次に、ＣＰＵ３０の制御の下でサーボコントローラ２５がフォーカス定電圧駆動回路３９に対して所定の値の電圧を出力させる。この電圧は端子Ｔ１２を介してアクチュエータ１５に印加され、これにより対物レンズ１３は印加された電圧に応じた量だけ光軸に沿って駆動される。
【００３４】
この状態でフォーカス特性検出回路４１が光ピックアップ装置１０のフォーカス位置Ｆ１を検出する（ステップＳ１１）。光ピックアップ装置１０のフォーカス位置の検出は、例えばレーザドップラー等の検出方法又は不図示のフォトカプラを用いて行う。フォーカス位置Ｆ１の検出が終了すると、検出結果はＣＰＵ３０に出力され、ＣＰＵ３０はこの検出結果をＲＡＭ３１に記憶する（ステップＳ１２）。
【００３５】
次に、サーボコントローラ２５はフォーカス定電圧駆動回路３９を制御してフォーカス位置Ｆ１を検出した時にアクチュエータ１５に印加されていた電圧に、例えば０．１Ｖを加算した電圧を出力させてアクチュエータ１５に印加させる（ステップＳ１３）。そして、フォーカス特性検出回路４１が光ピックアップ装置１０のフォーカス位置Ｆ２を検出し（ステップＳ１４）、ＣＰＵ３０がこの検出結果をＲＡＭ３１に記憶する（ステップＳ１５）。以上の処理が終了すると、ＣＰＵ３０はＲＡＭ３１に記憶されているフォーカス位置Ｆ２からフォーカス位置Ｆ１を減算することで、フォーカシングのＤＣ特性を演算し（ステップＳ１６）、このＤＣ特性をＲＡＭ３１に記憶する（ステップＳ１７）。
【００３６】
同様に、ＣＰＵ３０の制御の下でサーボコントローラ２５がトラッキング定電圧駆動回路３８に対して所定の値の電圧を出力させる。この電圧は端子Ｔ１１を介してアクチュエータ１６に印加され、これにより対物レンズ１３は印加された電圧に応じた量だけ光軸に直交する方向に沿って駆動される。この状態でトラッキング特性検出回路４０が光ピックアップ装置１０のトラッキング位置Ｔ１を検出する（ステップＳ１８）。尚、光ピックアップ装置１０のトラッキング位置の検出は、フォーカス位置の検出と同様に、例えばレーザドップラー等の検出方法又は不図示のフォトカプラを用いて行う。
【００３７】
トラッキング位置Ｔ１の検出が終了すると、ＣＰＵ３０がその検出結果をＲＡＭ３１に記憶する（ステップＳ１９）。次に、トラッキング定電圧駆動回路３８が先にアクチュエータ１６に印加していた値に、例えば０．１Ｖを加算した電圧を出力してアクチュエータ１６に印加する（ステップＳ２０）。そして、トラッキング特性検出回路４０が光ピックアップ装置１９のトラッキング位置Ｔ２を検出し（ステップＳ２１）、ＣＰＵ３０がＲＡＭ３１に記憶させる（ステップＳ２２）。
【００３８】
以上の処理が終了すると、ＣＰＵ３０はＲＡＭ３１に記憶されているトラッキング位置Ｔ２からトラッキング位置Ｔ１を減算することで、トラッキングのＤＣ特性を演算し（ステップＳ２３）、このＤＣ特性をＲＡＭ３１に記憶する（ステップＳ２４）。以上の処理を経て、光ピックアップ装置１０のフォーカシング及びトラッキングのＤＣ特性が検出され、その結果がＲＡＭ３１に記憶される。
【００３９】
次に、図４を参照して光ピックアップ装置１０のフォーカシングのＡＣ特性を検出する動作について説明する。フォーカシングのＡＣ特性を検出する場合には、情報記録再生装置にテストディスクを装着する（ステップＳ３１）。テストディスクが装着されると、サーボコントローラ２５が駆動信号をフォーカス定電圧駆動回路３９に出力してアクチュエータ１５を駆動し、光軸方向に沿って対物レンズ１３を所定回数だけ往復運動させる（ステップＳ３２）。
【００４０】
これにより、アンプ２０ｂからフォーカスエラー信号としてＳ字カーブの信号が出力される。ＣＰＵ３０はＡ／Ｄ変換器２２ｂからサーボコントローラ２５を介して出力される信号に基づいて、Ｓ字カーブの信号の最大振幅を演算により求め（ステップＳ３３）、この最大振幅をＲＡＭ３１に記憶する（ステップＳ３４）。更に、ＣＰＵ３０は、Ａ／Ｄ変換器２２ｂのダイナミックレンジを有効に利用できるようＳ字カーブの信号の最大振幅からＶＣＡ２１ｂのゲイン（フォーカスゲイン）を演算により求め（ステップＳ３５）、このゲインをＶＣＡ２１ｂに設定して制御を行う（ステップＳ３６）。
【００４１】
次に、フォーカス制御を行っている状態で、Ａ／Ｄ変換器２２ｂから出力される信号とＦＯＫ生成回路３２から出力されるＦＯＫ信号とに基づいて、テストディスクに対する光ピックアップ装置１０の合焦点を判別して（ステップＳ３７）、フォーカスサーボ系を閉ループ状態とする（ステップＳ３８）。以上の処理が終了すると、サーボコントローラ２５は、Ａ／Ｄ変換器２２ｄに駆動信号を出力して不図示のスピンドルモータを回転させ（ステップＳ３９）、フォーカスサーボ系の帯域である交流信号、例えば１ｋＨｚの正弦波信号を生成してフォーカス定電圧駆動回路３９を介してフォーカスサーボ系へ注入する（ステップＳ４０）。
【００４２】
この状態において、フォーカス特性検出回路４１はアンプ２０ｂからＡ／Ｄ変換器２２ｂ及びサーボコントローラ２５を介して出力されるフォーカスエラー信号からフォーカシングのＡＣ特性を演算により求め（ステップＳ４１）、ＣＰＵ３０がこの演算結果をＲＡＭ３１に記憶する（ステップＳ４２）。また、ＣＰＵ３０は、交流信号が注入されている状態におけるゲインを演算し（ステップＳ４３）、設計目標値のゲインとなるよう、ＥＱ２３ｂのゲイン及び位相を制御する（ステップＳ４４）。以上の処理を経て、光ピックアップ装置１０のフォーカシングのＡＣ特性が検出され、その結果がＲＡＭ３１に記憶される。
【００４３】
次に、図５を参照して光ピックアップ装置１０のトラッキングのＡＣ特性を検出する動作について説明する。トラッキングのＡＣ特性を検出する場合には、情報記録再生装置にテストディスクを装着されている状態において、サーボコントローラ２５が駆動信号を不図示の駆動回路に出力して光ピックアップ装置１０自体をディスクの直径方法に所定量だけ移動させるとともに、駆動信号をトラッキング定電圧駆動回路３８に出力してアクチュエータ１６を駆動し、光軸方向に直交する方向（ディスクの径方向）に沿って対物レンズ１３を移動させる（ステップＳ５１）。
【００４４】
対物レンズ１３を移動させることにより、アンプ２０ａからトラッキングエラー信号が出力され、ＣＰＵ３０はＡ／Ｄ変換器２２ａからサーボコントローラ２５を介して出力される信号に基づいて、トラッキングエラー信号の最大振幅を演算により求め（ステップＳ５２）、この最大振幅をＲＡＭ３１に記憶する（ステップＳ５３）。
【００４５】
更に、ＣＰＵ３０は、Ａ／Ｄ変換器２２ａのダイナミックレンジを有効に利用できるようトラッキングエラー信号の最大振幅からＶＣＡ２１ａのゲイン（トラッキングゲイン）を演算により求め（ステップＳ５４）、このゲインをＶＣＡ２１ａに設定して制御を行う（ステップＳ５５）。また更に、トラッキングエラー信号のバランスを調整した後で、トラッキングサーボ系を閉ループ状態とする（ステップＳ５６）。
【００４６】
この状態において、サーボコントローラ２５は、トラッキングサーボ系の帯域である交流信号、例えば１ｋＨｚの正弦波信号を生成してトラッキング定電圧駆動回路３８を介してトラッキングサーボ系へ注入する（ステップＳ５７）。そして、トラッキング特性検出回路４０はアンプ２０ａからＡ／Ｄ変換器２２ａ及びサーボコントローラ２５を介して出力される信号からトラッキングのＡＣ特性を演算により求め（ステップＳＳ５８）、ＣＰＵ３０がこの演算結果をＲＡＭ３１に記憶する（ステップＳ５９）。また、ＣＰＵ３０は、交流信号が注入されている状態におけるゲインを演算し（ステップＳ６０）、設計目標値のゲインとなるよう、ＥＱ２３ａのゲイン及び位相を制御する（ステップＳ６１）。以上の処理を経て、光ピックアップ装置１０のトラッキングのＡＣ特性が検出され、その結果がＲＡＭ３１に記憶される。
【００４７】
次に、図６を参照して光ピックアップ装置１０のＬＤ電流特性を検出する動作、並びに、フォーカシングのＤＣ特性及びＡＣ特性、トラッキングのＤＣ特性及びＡＣ特性、及びＬＤ電流特性を光ピックアップ装置１０が備えるＥＥＰＲＯＭ１８に書き込む動作について説明する。まず、ＡＰＣ回路３４を介しＬＤ１１を発光させ（ステップＳ７１）、ＬＤ１１から射出されるレーザ光の強度（パワー）が出荷時の初期設定（例えば、対物レンズ１３を介した後のパワーが０．５ｍＷ）となるように、ＬＤパワー検出回路３５の検出結果を参照しつつ、光ピックアップ装置１０に設けられた不図示の可変抵抗を調整する（ステップＳ７２）。
【００４８】
調整が終了した後でＡＰＣ回路３４の制御の下でＬＤ１１に流れている電流をＡＰＣ電流検出回路３６を用いて検出する（ステップＳ７３）。この検出結果はＣＰＵ３０に出力されてＲＡＭ３１に記憶される（ステップＳ７４）。以上の処理が終了すると、ＣＰＵ３０は、ＲＡＭ３１に記憶されたフォーカシングのＤＣ特性及びＡＣ特性、トラッキングのＤＣ特性及びＡＣ特性、並びにＬＤ電流特性を読み出してＥＥＰＲＯＭ書込回路３７に出力する。
【００４９】
ＥＥＰＲＯＭ書込回路３７はＣＰＵ３０から出力されたこれらの情報を光ピックアップ装置１０に設けられたＥＥＰＲＯＭ１８に書き込む。ＥＥＰＲＯＭ１８に書き込む際に、これらの情報を情報記録再生装置に設けられた不図示の記憶装置又は不図示の外部記録装置（ハードディスク、光ディスク、その他の情報記録媒体）に記録することが好ましい。
【００５０】
以上、本発明の第１実施形態による情報記録再生装置について説明した。上記の実施形態ではフォーカシングのＤＣ特性及びＡＣ特性、トラッキングのＤＣ特性及びＡＣ特性、並びにＬＤ電流特性最後に一括してＥＥＰＲＯＭ１８に書き込むようにしたが、書き込むタイミングはこれに限られることはなく、例えば各々の情報が得られた後で随時書き込むようにしても良い。本実施形態では、テストディスクとして再生用のディスクを用いた場合について説明したが、テストディスクに記録可能なＣＤ−ＲとＣＤ−ＲＷの１つ又は両方を用いて、各ＤＣ特性及びＡＣ特性をＥＥＰＲＯＭ１８に書き込むようにしても良い。
【００５１】
〔第２実施形態による情報記録再生装置〕
図７は、本発明の第２実施形態による情報記録再生装置の構成の一部を示すブロック図である。尚、図７においては、図２と同様に情報記録再生装置のサーボ系を主として図示しており、図１に示す部材に相当するものには同一の符号を付してある。また、第１実施形態と同様に、図７においては、便宜上、光ピックアップ装置１０内に設けられるＰＤ１４を光ピックアップ装置１０外に図示している。
【００５２】
図７に示す本発明の第２実施形態による情報記録再生装置と図２に示す本発明の第１実施形態による情報記録再生装置とは基本的な構成はほぼ同一であるが、図２に示すＥＥＰＲＯＭ書込回路３７に代えて、情報読出部としてのＥＥＰＲＯＭ読込回路５０を設けた点が異なる。つまり、上述した第１実施形態においては、製造された光ピックアップ装置１０の光ピックアップ情報を検出してＥＥＰＲＯＭ１８に書き込むものであったが、本実施形態の情報記録再生装置は光ピックアップ情報が書き込まれたＥＥＰＲＯＭ１８を有する光ピックアップ装置が予め装備され、ディスクに記録された情報を再生する（及びディスクに情報を記録する）ものである。
【００５３】
図７に示した構成の情報記録再生装置は、光ピックアップ装置１０に設けられたＥＥＰＲＯＭ１８に書き込まれた光ピックアップ情報をＥＥＰＲＯＭ読込回路５０で読み込み、この光ピックアップ情報に基づいてＶＣＡ２１ａ，２１ｂのゲイン等の初期値の設定を行っている。以下、この動作について説明する。図８は、ＥＥＰＲＯＭ１８に記録された光ピックアップ情報に基づいて初期値を設定する処理を示すフローチャートである。尚、図７に示した処理は、情報記録再生装置の電源投入時又はディスク交換時に実行されることが好ましい。
【００５４】
処理が開始されると、ＣＰＵ３０はＥＥＰＲＯＭ読込回路５０に対して制御信号を出力する。この制御信号を受けると、ＥＥＰＲＯＭ読込回路５０は搭載されている光ピックアップ装置１０に設けられたＥＥＰＲＯＭ１８に記録されている光ピックアップ情報を読み出し、ＣＰＵ３０に出力する（ステップＳ８１）。ＥＥＰＲＯＭ読込回路５０から光ピックアップ情報が出力されると、ＣＰＵ３０はこの情報を一時的にＲＡＭ３１に記憶する（ステップＳ８２）。
【００５５】
次に、ＣＰＵ３０は、ＲＡＭ３１に記憶した光ピックアップ情報のうち、フォーカシングのＤＣ特性及びＡＣ特性に関する情報を読み出し、ＶＣＡ２１ｂ及びＥＱ２３ｂに設定するゲイン等の設定値を演算し（ステップＳ８３）、これらをＶＣＡ２１ｂ及びＥＱ２３ｂに設定する（ステップＳ８４）。次に、ＲＡＭ３１に記憶した光ピックアップ情報のうち、トラッキングのＤＣ特性及びＡＣ特性に関する情報を読み出し、ＶＣＡ２１ａ及びＥＱ２３ａに設定するゲイン等の設定値を演算し（ステップＳ８５）、これらをＶＣＡ２１ａ及びＥＱ２３ａに設定する（ステップＳ８６）。
【００５６】
このように、本実施形態においては、光ピックアップ装置１０の初期性能を示す光ピックアップ情報をＥＥＰＲＯＭ１８から読み出し、この光ピックアップ情報に基づいてフォーカスサーボ系及びトラッキングサーボ系の制御系における制御パラメータが設定される。このため、光ピックアップ装置１０の特性に合わせて、制御系における制御パラメータが自動的に設定され、仮に複数のメーカで製造された特性の異なる光ピックアップを組み込む場合であっても問題なく搭載することができる。
【００５７】
この結果、同一機種の情報記録再生装置であっても、異なる特性の光ピックアップ装置を搭載することができ、コスト上昇を招かずに情報記録再生装置の大量生産が可能となる。また、メンテナンス時において光ピックアップ装置を交換する場合にも特性の異なる光ピックアップ装置を搭載することができるため、コスト上昇を伴わずに容易にメンテナンスを行うことができる。
【００５８】
更に、ＥＥＰＲＯＭ１８に記録された光ピックアップ情報と同一の情報を光ピックアップ装置１０の製造メーカが有しているため、例えば光ピックアップ装置１０の製造メーカが情報記録再生装置の製造メーカに光ピックアップ装置１０を納品する場合に、輸送による光ピックアップ装置１０の特性の変化の有無を容易に且つ低コストで確認することができる。また更に、個々の光ピックアップ装置１０には、その特性を示す光ピックアップ情報が格納されているため、出荷前の抜き取り検査時においては光ピックアップ情報を用いて検査を行うことができるため、検査に要するコストをも低減することができる。
【００５９】
尚、以上の実施形態においては、主として情報記録媒体としてのディスクに記録された情報を再生する情報記録再生装置を例として説明したが、ディスクに情報を記録する機能を備える情報記録再生装置にも本発明を適用することができる。かかる情報記録再生装置においては、再生時の各種制御パラメータと記録時の各種制御パラメータとを別々にＥＥＰＲＯＭ１８に書き込む用にすることが好ましい。例えば、再生時におけるＬＤ電流特性と記録時におけるＬＤ電流特性が挙げられる。また、記録時におけるＬＤ１１の最適射出パワーをＥＥＰＲＯＭ１８に書き込んでおき、ＬＤ１１の射出パワーがこの最適射出パワーとなるように制御することが好適である。この場合、ＡＰＣ回路３４が本発明の強度調整部に相当する働きをする。また、記録時の特性として、テストディスクとして記録可能なＣＤ−Ｒ及び／又はＣＤ−ＲＷを用いて、各ディスクに対応するフォーカシング及びトラッキングのＡＣ特性を記憶することが好適である。
【００６０】
更に、上記実施形態においては、ＥＥＰＲＯＭ１８に光ピックアップ情報を書き込む機能を有する情報記録再生装置とＥＥＰＲＯＭ１８にに記録された光ピックアップ情報を読み込んで制御パラメータを設定する機能を有する情報記録再生装置とを分けて説明したが、これらの機能を共に備えていても良い。かかる装置においては、ＬＤ１１の使用状況（再生時におけるレーザ光射出時間、及び、記録時におけるレーザ光射出時間）をＥＥＰＲＯＭ１８に書き込むようにすることが好ましい。このようにすることで、光ピックアップ装置１０の交換時期を知ることができ、メンテナンスを行う上で好適となる。
【００６１】
【発明の効果】
以上説明したように、本発明によれば、光ピックアップ装置に関する光ピックアップ情報を記憶する記憶素子を光ピックアップ装置自身が備えるため、光ピックアップ装置の良否を検査する場合、光ピックアップのメンテナンスを行う場合に、記憶素子に記憶された光ピックアップ情報に基づいて行うことができ、その結果としてコスト上昇を伴わずにこれらの作業を行うことができるという効果がある
また、本発明によれば、光ピックアップ装置に設けられた記憶素子から光ピックアップ情報を読み込み、この光ピックアップ情報に基づいて信号処理部で行われる処理のパラメータを調整しているため、処理のパラメータを光ピックアップの特性に応じて自動的に調整することができるという効果がある。この結果、複数のメーカで製造された特性の異なる光ピックアップを組み込んで情報記録再生装置を製造する場合であっても問題なく搭載することができ、コスト上昇を招かずに情報記録再生装置の大量生産が可能となる。
【図面の簡単な説明】
【図１】本発明の実施形態による光ピックアップ装置の概略構成を示すブロック図である。
【図２】本発明の第１実施形態による情報記録再生装置の構成の一部を示すブロック図である。
【図３】光ピックアップ装置１０のフォーカシング及びトラッキングのＤＣ特性を検出する動作を示すフローチャートである。
【図４】光ピックアップ装置１０のフォーカシングのＡＣ特性を検出する動作を示すフローチャートである。
【図５】光ピックアップ装置１０のトラッキングのＡＣ特性を検出する動作を示すフローチャートである。
【図６】ＬＤ電流特性を検出し、検出した光ピックアップ情報をＥＥＰＲＯＭ１８に書き込む動作を示すフローチャートである。
【図７】本発明の第２実施形態による情報記録再生装置の構成の一部を示すブロック図である。
【図８】ＥＥＰＲＯＭ１８に記録された光ピックアップ情報に基づいて初期値を設定する処理を示すフローチャートである。
【符号の説明】
１０              光ピックアップ装置
１１              ＬＤ（光源）
１３              対物レンズ（光学素子）
１４              ＰＤ（検出器）
１５，１６        アクチュエータ（駆動素子）
１８              ＥＥＰＲＯＭ（記憶素子）
２１ａ，２１ｂ    ＶＣＡ（信号処理部、駆動制御部）
２２ａ，２２ｂ    Ａ／Ｄ変換部（信号処理部、駆動制御部）
２３ａ，２３ｂ    ＥＱ（信号処理部、駆動制御部）
２５              サーボコントローラ（調整部）
３０              ＣＰＵ（調整部）
３４              ＡＰＣ回路（信号処理部、強度調整部）
３７              ＥＥＰＲＯＭ書込回路（書込部）
４０              トラッキング特性検出回路（検出部）
４１              フォーカス特性検出回路（検出部）
５０              ＥＥＰＲＯＭ読込回路（情報読出部）
【図１】
2004152451.tif 000003
【図２】
2004152451.tif 000004
【図３】
2004152451.tif 000005
【図４】
2004152451.tif 000006
【図５】
2004152451.tif 000007
【図６】
2004152451.tif 000008
【図７】
2004152451.tif 000009
【図８】
2004152451.tif 000010